(57)【要約】【課題】確認対象物について確認を行う際の確認効率を向上させることができるようにする。【解決手段】表示部３６と、図面表示画面に図面を表示する図面表示処理部Ｐｒ１１と、確認対象物について確認を行う確認ポイントを表すマークを図面に重ねて表示する指標表示処理部Ｐｒ１２と、確認結果を表す確認済データを、図面上の位置に対応させてデータ記憶部に記録するデータ記録処理部とを有する。前記指標表示処理部Ｐｒ１２は、確認対象物について確認が行われたときに、前記確認ポイントの属性が変化させられるのに伴ってマークにおける表示内容を変更する。すべての確認ポイントにおける確認対象物についての確認が終了しているかどうかを容易に把握することができる。【選択図】図１
2018124912.tif 000002
【特許請求の範囲】
【請求項１】
（ａ）表示部と、
（ｂ）該表示部に形成された図面表示画面に図面を表示する図面表示処理部と、
（ｃ）図面上の所定の位置に設定され、確認対象物について確認を行う確認ポイントを表すマークを、前記図面に重ねて表示する指標表示処理部と、
（ｄ）操作者が、図面上で確認ポイントを選択し、指示事項に従って確認対象物について確認を行ったときの確認結果を表す確認済データを、図面上の位置に対応させてデータ記憶部に記録するデータ記録処理部とを有するとともに、
（ｅ）前記指標表示処理部は、確認対象物について確認が行われたときに、前記確認ポイントの属性が変化させられるのに伴ってマークにおける表示内容を変更することを特徴とする情報処理装置。
【請求項２】
前記データ記録処理部は、操作者が、図面上で確認ポイントを選択し、確認対象物の写真を撮影したときに、写真データを確認済データとして前記データ記憶部に記録する請求項１に記載の情報処理装置。
【請求項３】
前記データ記録処理部は、操作者が、図面上で確認ポイントを選択し、確認対象物についてコメントを入力したときに、コメントを確認済データとして前記データ記憶部に記録する請求項１に記載の情報処理装置。
【請求項４】
前記確認ポイントの属性は、前記確認対象物についての指示事項の実施状況が変化したときに変化させられる請求項１〜３のいずれか１項に記載の情報処理装置。
【請求項５】
前記確認ポイントの属性は、確認ポイントが設定されるタイミングに応じて変化させられる請求項１〜４のいずれか１項に記載の情報処理装置。
【請求項６】
前記指標表示処理部は、前記マークに、各確認ポイントを識別するための数字を表示する請求項１〜５のいずれか１項に記載の情報処理装置。
【請求項７】
前記指標表示処理部は、前記数字を確認ポイントの属性ごとに区分して表示する請求項６に記載の情報処理装置。
【請求項８】
前記図面表示画面に、各確認ポイントにおける指示事項の実施状況をリストで表示する実施状況表示処理部を有する請求項１〜７のいずれか１項に記載の情報処理装置。
【請求項９】
前記実施状況表示処理部は、確認ポイントの属性が変化させられるのに伴って、リストにおける表示内容を変更する請求項８に記載の情報処理装置。
【請求項１０】
前記データ記録処理部は、写真データと指示事項とを併せてデータ記憶部に記録する請求項２に記載の情報処理装置。
【請求項１１】
前記請求項１〜１０のいずれか１項に記載の情報処理装置とサーバ装置とがネットワークを介して接続される情報処理システム。
【請求項１２】
（ａ）前記図面表示処理部は、サーバ装置の記憶装置から読み出され、情報処理装置に送信された図面データに基づいて前記図面を表示し、
（ｂ）前記データ記憶部に記録された確認済データは、サーバ装置に送信されて前記記憶装置に記録され、サーバ装置にアクセス可能な端末装置間で共有される請求項１１に記載の情報処理システム。
【発明の詳細な説明】
【技術分野】
【０００１】
本発明は、情報処理装置及び情報処理システムに関するものである。
【背景技術】
【０００２】
従来、建築現場、工事現場、測量現場等の作業現場、例えば、建築現場において、作業の進捗状況等を確認するために、所定の確認箇所で、電子カメラが搭載された携帯型の端末装置を使用して確認対象物の写真を撮影し、確認対象物について確認を行い、写真及び確認結果をサーバ装置に送信し、記録するようにした情報処理システムが提供されている（例えば、特許文献１参照。）。
【０００３】
該情報処理システムにおいては、確認箇所が複数ある場合、各確認対象物の撮影及び確認対象物についての確認が終了しているかどうかを判断するために、すべての確認結果が端末装置の画面に表示されるようになっている。
【先行技術文献】
【特許文献】
【０００４】
【特許文献１】特開２０１１−１９８２５１号公報
【発明の概要】
【発明が解決しようとする課題】
【０００５】
しかしながら、前記従来の情報処理システムにおいては、所定の確認箇所において確認対象物についての確認が終了していないことが分かると、端末装置の操作者は確認が終了していない箇所に戻らなければならず、確認効率が低下してしまう。
【０００６】
特に、複数の操作者が、同じ確認対象物について確認を行う必要がある場合には、同じ確認対象物について重複して確認を行ってしまうことがある。
【０００７】
本発明は、前記従来の情報処理システムの問題点を解決して、確認対象物について確認を行う際の確認効率を向上させることができる情報処理装置及び情報処理システムを提供することを目的とする。
【課題を解決するための手段】
【０００８】
そのために、本発明の情報処理装置においては、表示部と、該表示部に形成された図面表示画面に図面を表示する図面表示処理部と、図面上の所定の位置に設定され、確認対象物について確認を行う確認ポイントを表すマークを、前記図面に重ねて表示する指標表示処理部と、操作者が、図面上で確認ポイントを選択し、指示事項に従って確認対象物について確認を行ったときの確認結果を表す確認済データを、図面上の位置に対応させてデータ記憶部に記録するデータ記録処理部とを有する。
【０００９】
そして、前記指標表示処理部は、確認対象物について確認が行われたときに、前記確認ポイントの属性が変化させられるのに伴ってマークにおける表示内容を変更する。
【発明の効果】
【００１０】
本発明によれば、情報処理装置においては、表示部と、該表示部に形成された図面表示画面に図面を表示する図面表示処理部と、図面上の所定の位置に設定され、確認対象物について確認を行う確認ポイントを表すマークを、前記図面に重ねて表示する指標表示処理部と、操作者が、図面上で確認ポイントを選択し、指示事項に従って確認対象物について確認を行ったときの確認結果を表す確認済データを、図面上の位置に対応させてデータ記憶部に記録するデータ記録処理部とを有する。
【００１１】
そして、前記指標表示処理部は、確認対象物について確認が行われたときに、前記確認ポイントの属性が変化させられるのに伴ってマークにおける表示内容を変更する。
【００１２】
この場合、図面上の所定の位置に設定された確認ポイントを表すマークが図面に重ねて表示され、操作者が、図面上で確認ポイントを選択し、指示事項に従って確認対象物について確認を行うと、前記確認ポイントの属性が変化させられるのに伴ってマークにおける表示内容が変更されるので、操作者は、すべての確認ポイントにおける確認対象物についての確認が終了しているかどうかを容易に把握することができる。
【００１３】
したがって、各確認ポイントにおける確認対象物についての確認漏れが発生するのを防止することができ、確認効率を向上させることができる。
【００１４】
また、複数の操作者が同じ確認対象物について確認を行う必要がある場合でも、同じ確認対象物について重複して確認してしまうことがないので、確認効率を一層向上させることができる。
【図面の簡単な説明】
【００１５】
【図１】本発明の実施の形態におけるタブレット装置の制御ブロック図である。
【図２】本発明の実施の形態における情報処理システムを示す概念図である。
【図３】本発明の実施の形態におけるサーバ装置の制御ブロック図である。
【図４】本発明の実施の形態における表示部に形成される図面表示画面の例を示す第１の図である。
【図５】本発明の実施の形態における表示部に形成される図面表示画面の例を示す第２の図である。
【図６】本発明の実施の形態における入力画面の例を示す図である。
【図７】本発明の実施の形態における表示部に形成される図面表示画面の例を示す第３の図である。
【図８】本発明の実施の形態における表示部に形成される図面表示画面の例を示す第４の図である。
【図９】本発明の実施の形態における確認ポイントを設定する際の情報処理システムの動作を示すフローチャートである。
【図１０】本発明の実施の形態における確認対象物について確認を行う際の情報処理システムの動作を示すフローチャートである。
【発明を実施するための形態】
【００１６】
以下、本発明の実施の形態について図面を参照しながら詳細に説明する。この場合、情報処理装置としての、かつ、携帯型の端末装置としてのタブレット装置と、サーバ装置とがネットワークを介して接続された情報処理システムについて説明する。
【００１７】
図２は本発明の実施の形態における情報処理システムを示す概念図である。
【００１８】
図において、１０は情報処理システム、１１はタブレット装置、１２はサーバ装置、ＤＢは該サーバ装置１２に配設された第１の記憶部としての図面データベースである。前記タブレット装置１１及びサーバ装置１２は、インターネット等のネットワークＮｔを介して接続され、情報処理システム１０を構成し、タブレット装置１１とサーバ装置１２との間で各種のデータの送受信が行われる。
【００１９】
前記情報処理システム１０が、建築現場、工事現場、測量現場等の作業現場、例えば、建築現場において操作者が作業の進捗状況等を確認するために利用される場合、操作者が前記タブレット装置１１を使用して建築現場の複数の確認箇所における確認対象物について確認を行い、確認結果をサーバ装置１２に送信し、確認結果が前記図面データベースＤＢに記録される。
【００２０】
そのために、前記タブレット装置１１としては、建築現場に持ち込むことができるように、薄型で、比較的軽量であり、かつ、携帯するのに適した寸法のものが使用される。本実施の形態においては、情報処理装置としてタブレット装置１１が使用されているが、タブレット装置１１に代えて、ノートパソコン、携帯電話、スマートフォン等を使用することができる。
【００２１】
そして、前記図面データベースＤＢに、建築現場を表す図面、すなわち、元図の図面データＤｔｉ（ｉ＝１、２、…）が建築現場ごとに記録される。また、前記図面データベースＤＢには、前記図面データＤｔｉのほかに、後述される確認ポイントＰｔｊ（ｊ＝１、２、…）（図５）に関する確認ポイント情報、及び各確認対象物についての確認結果を表す確認済データが図面データに対応させて記録される。前記確認ポイントＰｔｊは、建築現場における各確認対象物の位置に設定される。
【００２２】
なお、図面データＤｔｉは、可搬性を有し、各種のサイズに作成された元図を表すデータであり、図面データＤｔｉに基づいてタブレット装置１１の図面表示画面ｄｓ１に表示される図面ｇｒｉ（ｉ＝１、２、…）は、元図と同じ内容を有する。
【００２３】
次に、サーバ装置１２について説明する。
【００２４】
図３は本発明の実施の形態におけるサーバ装置の制御ブロック図である。
【００２５】
サーバ装置１２は、制御部としてのＣＰＵ（中央演算処理装置）２１、第２の記憶部としてのＲＯＭ（ＲＥＡＤ  ＯＮＬＹ  ＭＥＭＯＲＹ：読取専用メモリ）２３、第３の記憶部としてのＲＡＭ（ＲＡＮＤＯＭ  ＡＣＣＥＳＳ  ＭＥＭＯＲＹ：読書自在メモリ）２４、通信部２５、表示部２６、操作部２７、第１の記憶媒体としての大容量の記憶装置１３等を備え、該記憶装置１３に前記図面データベースＤＢが形成される。
【００２６】
前記ＣＰＵ２１は、ＲＯＭ２３に記録された各種のプログラムに従ってサーバ装置１２の全体の制御（情報処理）を行うとともに、前記記憶装置１３に記録された図面管理プログラムに従って図面データＤｔｉの管理を行う。
【００２７】
前記ＲＯＭ２３には、ＣＰＵ２１によって実行される各種のプログラム、該各プログラムを実行するために必要なパラメータ等が記録される。
【００２８】
前記ＲＡＭ２４は、ＣＰＵ２１が各種の処理を行う際にデータを一時的に記録するバッファとして機能するとともに、ＣＰＵ２１が各種の処理を行う際にワーキングメモリとして機能する。
【００２９】
前記通信部２５は、サーバ装置１２をネットワークＮｔに接続するための通信用インタフェースである。前記ＣＰＵ２１は、通信部２５を介して、例えば、操作者が作業の進捗状況等を確認しようとする建築現場の図面データをタブレット装置１１に送信したり、タブレット装置１１から前記確認済データを受信したりする。
【００３０】
そして、前記表示部２６は、液晶ディスプレイ等から成る表示デバイスであり、所定の画面に図面データベースＤＢに記録された図面データＤｔｉの図面ｇｒｉを表示したり、タブレット装置１１に送信した図面データの図面を表示したりする。
【００３１】
また、前記操作部２７は、キーボード、マウス等から成る入力デバイスであり、操作者が操作部２７を操作することによって、ＣＰＵ２１に所定の事項が入力される。なお、前記表示部２６がタッチパネルで形成されている場合、表示部２６は操作部としても機能する。
【００３２】
次に、タブレット装置１１について説明する。
【００３３】
図１は本発明の実施の形態におけるタブレット装置の制御ブロック図である。
【００３４】
タブレット装置１１は、制御部としてのＣＰＵ３１、第４の記憶部としてのＲＯＭ３３、第５の記憶部としてのＲＡＭ３４、通信部３５、表示部３６、操作部３７、画像入力部としての電子カメラ４５、第２の記憶媒体としての大容量の記憶装置４６等を備える。
【００３５】
該記憶装置４６は、例えば、ハードディスク、ＥＥＰＲＯＭ（ＥＬＥＣＴＯＲＩＣＡＬＬＹ  ＥＲＡＳＡＢＬＥ  ＰＲＯＧＲＡＭＭＡＢＬＥ  ＲＯＭ）等から成り、図示されない図面表示プログラムが記録される。また、記憶装置４６には、第１のデータ記憶部としての図面データ記憶部４８、及び第２のデータ記憶部としての確認済データ記憶部５０が配設され、前記図面データ記憶部４８に、サーバ装置１２から送信された図面データが記録され、確認済データ記憶部５０に前記確認済データが記録される。
【００３６】
前記ＣＰＵ３１は、ＲＯＭ３３に記録された各種のプログラムに従ってタブレット装置１１の全体の制御を行う。
【００３７】
また、ＣＰＵ３１は、ネットワークＮｔを介して、サーバ装置１２の図面データベースＤＢに記録された図面データＤｔｉのうちの、建築現場の図面データを検索し、取得する。
【００３８】
そして、ＣＰＵ３１は、前記記憶装置４６に記録された、図面を表示するためのプログラムに従って動作する図面表示処理部Ｐｒ１１、後述されるマークを表示するためのプログラムに従って動作する指標表示処理部Ｐｒ１２、確認の実施状況を表示するためのプログラムに従って動作する実施状況表示処理部Ｐｒ１３、確認済データを記録するためのプログラムに従って動作するデータ記録処理部としての確認済データ記録処理部Ｐｒ１４等を備える。
【００３９】
サーバ装置１２から図面データが送信されると、前記図面表示処理部Ｐｒ１１は、図面データを処理して図面表示画面ｄｓ１に図面ｇｒ１を表示し、前記指標表示処理部Ｐｒ１２は図面表示画面ｄｓ１に表示された図面ｇｒ１上に確認ポイントＰｔｊを表すマークを表示し、前記実施状況表示処理部Ｐｒ１３は図面表示画面ｄｓ１上に後述される一覧部Ｌｓ１（図５）を表示し、確認済データ記録処理部Ｐｒ１４は確認済データを確認済データ記憶部５０に記録する。
【００４０】
また、図面表示処理部Ｐｒ１１は、サーバ装置１２から送信された図面データを拡大したり、縮小したりして図面表示画面ｄｓ１に所定の寸法で図面ｇｒ１を表示する。
【００４１】
そして、指標表示処理部Ｐｒ１２は、確認ポイントＰｔｊを表すマークにおける表示内容を変更し、実施状況表示処理部Ｐｒ１３は、確認対象物についての確認の実施状況を表す一覧部Ｌｓ１における表示内容を変更する。
【００４２】
前記ＲＯＭ３３には、ＣＰＵ３１によって実行されるプログラム、該プログラムを実行するために必要なパラメータ等が記録される。
【００４３】
前記ＲＡＭ３４は、ＣＰＵ３１が各種の処理を行う際にデータを一時的に記録するバッファとして機能するとともに、ＣＰＵ３１が各種の処理を行う際にワーキングメモリとして機能する。
【００４４】
前記通信部３５は、タブレット装置１１をネットワークＮｔに接続するための通信用インタフェースである。ＣＰＵ３１は、通信部３５を介してサーバ装置１２から図面データを受信することによって取得したり、確認済データをサーバ装置１２に送信したりする。
【００４５】
なお、本実施の形態において、ＣＰＵ３１は、通信部３５を介して図面データを取得するようになっているが、ＵＳＢ（ＵＮＩＶＥＲＳＡＬ  ＳＥＲＩＡＬ  ＢＵＳ）メモリ等の半導体メモリを介して図面データを取得することができる。また、ＣＰＵ３１は、タブレット装置１１の記憶装置４６から図面データを直接取得することができる。その場合、タブレット装置１１と、図面データが記録されたパソコンとが有線又は無線で接続され、ＣＰＵ３１は、パソコンを介して図面データを取得し、記憶装置４６にあらかじめ記録する。
【００４６】
前記表示部３６は、液晶ディスプレイ等から成り、表示画面がタッチパネルで形成された表示デバイスであり、図面表示処理部Ｐｒ１１は、表示部３６に図面表示画面ｄｓ１を形成し、該図面表示画面ｄｓ１に、サーバ装置１２から送信された図面データに基づいて所定の寸法で図面ｇｒ１を表示する。
【００４７】
また、前記操作部３７は、入力デバイスであり、操作者が操作部３７を操作することによって、ＣＰＵ３１に所定の事項が入力される。なお、操作部３７をキーボード、マウス等によって形成することができる。
【００４８】
本実施の形態においては、前記表示部３６がタッチパネルで形成されているので、操作部３７はタッチパネル上に形成される。操作者は、タッチパネル上の操作要素としてのキー等に操作媒体としての指でタッチすることによって、所定の事項を入力することができる。
【００４９】
そのために、操作者がタッチパネル上の所定の位置に指でタッチすると、前記表示部３６は操作者が指でタッチした位置を所定のサンプリング周期でサンプリングし、リアルタイムでタッチパネル上の座標値の時間的変化を追跡する。
【００５０】
なお、表示部３６は、タッチパネル上で、操作者が指をタッチしたまま移動させたとき、指のスライド動作を検出し、操作者が２本の指をタッチしたまま広げたとき、指のピンチ動作を検出し、操作者が指を弾いたとき、指のフリック動作を検出し、操作者がタッチパネルに指を短時間タッチしたとき、指のタップ動作を検出する。
【００５１】
前記電子カメラ４５は、撮像素子を備え、被写体、本実施の形態においては、確認対象物の写真を撮影するのに伴って、ディジタルの画像データから成る写真データを生成するディジタルカメラである。操作者が、タブレット装置１１の所定の箇所に形成されたシャッタ（スイッチ）を押下するか、又はタッチパネル上に形成されたシャッタに指でタッチすると、電子カメラ４５によって写真が撮影される。
【００５２】
なお、端末装置としてスマートフォンを使用した場合、図面データベースＤＢの図面データＤｔｉを検索する際の効率性、操作性等が低くなる。その場合、操作者は、サーバ装置１２の操作部２７を操作することによって、所望の図面データを検索し、検索した図面データをスマートフォンに送信することができる。
【００５３】
次に、図面データＤｔｉについて説明する。
【００５４】
建築用の設計図面を元図とするＡ０判、Ａ１判等の大判の図面データＤｔｉは、比較的高い密度（６００〔ｄｐｉ〕又は４００〔ｄｐｉ〕）で図面データベースＤＢに記録される。
【００５５】
ここで、Ａ０判の図面データの元図の寸法は、縦が８４１〔ｍｍ〕、横が１１８９〔ｍｍ〕であるので、６００〔ｄｐｉ〕の解像度（密度）で作成すると、縦が１９８６６〔ドット〕、横が２８０８７〔ドット〕になり、これを面の画素数で表すと、約５億６千万〔ドット〕になり、非常に膨大なデータ量になる。
【００５６】
一方、タブレット装置１１の表示部３６に形成される図面表示画面ｄｓ１の寸法は、一般的に、縦が７８６〔ドット〕、横が１０２４〔ドット〕程度で形成され、面の画素数で表すと、７８万６千〔ドット〕になる。
【００５７】
したがって、表示部３６の図面表示画面ｄｓ１に表示される図面ｇｒ１は、図面データに対して約７００分の１の解像度で表示されることになる。そして、図面データをサーバ装置１２からタブレット装置１１に送信し、表示部３６の図面表示画面ｄｓ１に図面ｇｒ１を表示しようとすると、図面データ記憶部４８のメモリ容量等の制約から、表示に要する時間、すなわち、表示時間が長くなり、数〔秒〕から数十〔秒〕になってしまう。
【００５８】
ところで、建築現場において確認対象物について確認を行うに当たり、表示部３６の図面表示画面ｄｓ１においては、必ずしも高い解像度で図面ｇｒ１を表示する必要はなく、１４０〔ｄｐｉ〕〜１５０〔ｄｐｉ〕程度の解像度があれば十分である。
【００５９】
また、表示部３６の図面表示画面ｄｓ１が、例えば、縦が７８６〔ドット〕であり、確認対象物について確認を行う際に、図面ｇｒ１について６倍の倍率までの拡大が要求される場合、図面データの縦のドット数は、
７６８〔ドット〕×６＝４６０８〔ドット〕
あれば十分である。
【００６０】
これをＡ０判の図面データに当てはめると、元図の寸法は縦が８４１〔ｍｍ〕であるので、図面ｇｒ１の解像度は、
（（４６０８／８４１）×２５．４）＝１３９．２〔ｄｐｉ〕
になる。
【００６１】
すなわち、縦が７８６〔ドット〕程度の図面表示画面ｄｓ１に、縦のドット数が４６０８〔ドット〕の図面ｇｒ１を１３９．２〔ｄｐｉ〕の解像度で表示する場合、図面ｇｒ１の表示時間を十分に短くすることができる。
【００６２】
そこで、本実施の形態において、前記図面表示処理部Ｐｒ１１は、サーバ装置１２から送信された図面データの解像度を６００〔ｄｐｉ〕から１５０〔ｄｐｉ〕に変更する処理を行い、変更後の解像度で図面ｇｒ１を表示するようにしている。
【００６３】
なお、タブレット装置１１の処理速度が高い場合は、解像度が、例えば、２００〔ｄｐｉ〕であっても、表示時間を短くすることができる。すなわち、解像度の値は、タブレット装置１１の処理速度、図面の拡大の倍率等によって決まる。
【００６４】
また、解像度を変更しても、図面表示画面ｄｓ１に表示された図面ｇｒ１上の位置を、元図の図面データ上の位置に対応させて算出することができ、元図上の確認対象物の位置に対応させて図面表示画面ｄｓ１上で確認ポイントを設定することができる。
【００６５】
次に、表示部３６に形成される図面表示画面ｄｓ１について説明する。
【００６６】
図４は本発明の実施の形態における表示部に形成される図面表示画面の例を示す第１の図、図５は本発明の実施の形態における表示部に形成される図面表示画面の例を示す第２の図、図６は本発明の実施の形態における入力画面の例を示す図、図７は本発明の実施の形態における表示部に形成される図面表示画面の例を示す第３の図である。
【００６７】
建築現場において、操作者は、例えば、図に示されるように、タブレット装置１１を左手で持ち、右手で操作部３７を操作する。
【００６８】
操作者が、表示部３６（図１）に形成されたメニュー画面等を操作することによって、ネットワークＮｔを介してタブレット装置１１とサーバ装置１２（図２）とを接続し、図面データをダウンロードすると、サーバ装置１２において、ＣＰＵ２１が、図面データベースＤＢから建築現場の図面データを読み出し、タブレット装置１１に送信する。
【００６９】
タブレット装置１１のＣＰＵ３１は、サーバ装置１２から送信された図面データを受信して取得すると、図面データ記憶部４８に記録する。
【００７０】
続いて、図面表示処理部Ｐｒ１１は、表示部３６に図面表示画面ｄｓ１を形成し、図面データ記憶部４８から図面データを読み出し、図面表示画面ｄｓ１に、図４に示されるような図面ｇｒ１を表示する。なお、この場合、図面ｇｒ１として、家の間取りを示す平面図が表示される。
【００７１】
前記図面表示画面ｄｓ１には、前記図面ｇｒ１と共に、縮尺表示部Ａｒ１、及び第１、第２のスケール表示部Ａｒ２、Ａｒ３が表示される。この場合、縮尺表示部Ａｒ１には、表示されている図面ｇｒ１の縮尺、本実施の形態においては、「１／１００」が、第１のスケール表示部Ａｒ２には、図面ｇｒ１のＸ方向のスケールが、第２のスケール表示部Ａｒ３には、図面ｇｒ１のＹ方向のスケールが表示される。
【００７２】
ところで、建築現場において確認対象物について確認を行うに当たり、図面ｇｒ１上で確認対象物の位置が表示されていることが好ましい。
【００７３】
そこで、本実施の形態においては、操作者が、確認対象物について確認を開始する前に、図面ｇｒ１上の所定の位置、すなわち、各確認対象物の位置をあらかじめ特定し、各確認対象物の位置に確認ポイントＰｔｊを設定することができるようになっている。この場合、５個の確認ポイントＰｔ１〜Ｐｔ５が設定される。そのために、図面表示画面ｄｓ１において、図面ｇｒ１上の、確認を行おうとする確認対象物の位置に操作者が指でタッチすると、ＣＰＵ３１は、操作者の指がタッチした位置のＸ方向及びＹ方向の座標を読み込み、図面ｇｒ１上で確認対象物の位置を特定し、確認対象物の位置を確認ポイントＰｔｊとして設定する。
【００７４】
また、操作者が操作部３７を操作すると、表示部３６に確認対象物についての確認の内容を指示事項として入力するためのウインドウ（入力画面）が形成され、操作者は、該ウインドウにおいて確認の内容を表す指示事項を入力することができる。ＣＰＵ３１は、入力された指示事項を確認ポイントＰｔｊに対応させて図面データ記憶部４８に記録する。
【００７５】
本実施の形態において、前記指示事項は、確認対象物の確認事項、確認対象物の写真の撮影の有無、及び確認対象物についてのコメントの入力の有無であるが、確認対象物の写真の枚数、写真を撮影する際の電子カメラ４５の向き等を追加することができる。なお、指示事項は文章、図等によって表すことができる。
【００７６】
続いて、操作者が操作部３７を操作すると、表示部３６に各確認ポイントＰｔｊの属性情報を入力するためのウインドウが形成され、操作者は、該ウインドウにおいて各項目ごとに属性情報を入力する。ＣＰＵ３１は、入力された属性情報を確認ポイントＰｔｊに対応させて図面データ記憶部４８に記録する。
【００７７】
本実施の形態において、属性情報の項目は、確認ポイントＰｔｊにおいて確認対象物の写真が撮影されたかどうか（写真の有無）、及び確認対象物についてコメントが入力されたかどうかの前記各指示事項についての確認の実施状況、確認ポイントＰｔｊにおける確認対象物についての確認の順番、確認ポイントが設定されたタイミング等から成る。なお、操作者は、前記各項目のほかに、所望の属性情報の項目を、確認対象物についての確認を開始する前、又は開始した後に追加することができる。
【００７８】
そして、各項目の属性は、各指示事項についての確認の実施状況が変化したとき、確認ポイントＰｔｊにおける確認対象物についての確認の順番が変化したとき、確認ポイントが設定されたタイミングが変化したとき等に変化させられる。
【００７９】
次に、前記指標表示処理部Ｐｒ１２は、確認ポイントＰｔｊごとの指示事項及び属性情報を図面データ記憶部４８から読み出し、指示事項及び属性情報に基づいて、図５に示されるように、図面表示画面ｄｓ１に図面ｇｒ１に重ねて、各確認対象物の位置に確認ポイントＰｔｊのマークを表示する。
【００８０】
また、前記実施状況表示処理部Ｐｒ１３は、指示事項及び属性情報に基づいて、図面ｇｒ１に隣接する領域Ａｒ１１に一覧部Ｌｓ１を表示し、一覧部Ｌｓ１に、各確認ポイントＰｔｊと、該各確認ポイントＰｔｊにおける指示事項、及び指示事項の実施状況とをそれぞれ対応させてリストで表示する。
【００８１】
図５において、前記確認ポイントＰｔｊを表すマークは、確認ポイントごとの確認対象物について確認を行うための指示事項の内容によって形状が異なり、白抜きの矢印の形状、及び白抜きの多角形、本実施の形態においては、五角形の形状を有する。そして、各マークの指す方向が、確認ポイントＰｔｊの位置から確認対象物を見たときの方向と一致させられる。
【００８２】
すなわち、確認ポイントＰｔ１のマークは、矢印の形状を有し、矢印の中が白色にされ、矢印の中に数字「１」が表示され、確認ポイントＰｔ２のマークは、矢印の形状を有し、矢印の中が白色にされ、矢印の中に数字「２」が表示され、確認ポイントＰｔ３のマークは、矢印の形状を有し、矢印の中が白色にされ、矢印の中に数字「３」が表示され、確認ポイントＰｔ４のマークは、矢印の形状を有し、矢印の中が白色にされ、矢印の中に数字「４」が表示され、確認ポイントＰｔ５のマークは、五角形の形状を有し、五角形の中が白色にされ、五角形の中に数字「５」が表示される。各数字「１」〜「５」は確認ポイントＰｔｊを識別するとともに、確認対象物についての確認を行う順番を示すために付与される。なお、本実施の形態においては、前記各数字が、確認対象物についての確認を行う順番を示すために連続して表示されるが、確認ポイントＰｔｊの属性ごとにグループを分けて表示することができる。
【００８３】
また、本実施の形態においては、マークの中に数字が表示されるようになっているが、マークの外に、マークに隣接させて数字を表示することができる。さらに、マークに隣接させて、数字のほかに、確認ポイントＰｔｊの属性を表す文字、図形等を表示することができる。このようにすることによって、マークが所定の色で塗り潰された場合でも、マークの外に表示された数字、文字、図形等を十分に視認することができる。
【００８４】
この場合、確認ポイントＰｔ１〜Ｐｔ４と確認ポイントＰｔ５とは指示事項が異なるので、確認ポイントＰｔ１〜Ｐｔ４のマークが矢印の形状を有するのに対して、確認ポイントＰｔ５マークは五角形の形状を有する。
【００８５】
前記一覧部Ｌｓ１には、「Ｎｏ．１」〜「Ｎｏ．５」で表される各確認ポイントＰｔｊごとに、指示事項、及び確認の内容の実施状況がリストで表示される。この場合、確認の実施状況は、確認対象物の写真が撮影されたかどうか、及び確認対象物についてのコメントが入力されたかどうかである。
【００８６】
すなわち、確認ポイントＰｔ１の指示事項は、「障子の汚れ確認」であり、操作者は、障子の汚れ具合を確認するために、確認対象物の写真を撮影し、確認対象物についてコメントを入力をすることになるが、確認が行われていないので、写真及びコメントの欄に「未」の文字が表示される。
【００８７】
また、確認ポイントＰｔ２の指示事項は、「窓枠歪み確認」であり、操作者は、窓枠の歪み具合を確認するために、確認対象物の写真を撮影し、確認対象物についてコメントを入力をすることになるが、確認が行われていないので、写真及びコメントの欄に「未」の文字が表示される。
【００８８】
そして、確認ポイントＰｔ３の指示事項は、「棚板汚れ確認」であり、操作者は、棚板の汚れ具合を確認するために、確認対象物の写真を撮影し、確認対象物についてコメントを入力をすることになるが、確認が行われていないので、写真及びコメントの欄に「未」の文字が表示される。
【００８９】
また、確認ポイントＰｔ４の指示事項は、「窓ガラス傷確認」であり、操作者は、窓ガラスの傷の有無を確認するために、確認対象物の写真を撮影し、確認対象物についてコメントを入力をすることになるが、確認が行われていないので、写真及びコメントの欄に「未」の文字が表示される。
【００９０】
そして、確認ポイントＰｔ５の指示事項は、「水道流れ確認」であり、操作者は、水道の流れを確認することになるが、確認対象物の写真を撮影する必要がないので、写真の欄に「不要」が表示される。また、確認対象物についてコメントを入力をすることになるが、確認が行われていないので、コメントの欄に「未」の文字が表示される。
【００９１】
ＣＰＵ３１は、確認ポイントＰｔｊと指示事項及び属性情報とを対応させて、確認ポイント情報としてサーバ装置１２に送信し、サーバ装置１２のＣＰＵ２１は、図面データに対応させて、確認ポイント情報を図面データベースＤＢに記録する。
【００９２】
なお、本実施の形態においては、タブレット装置１１を操作することによって、確認ポイントＰｔｊが設定されるようになっているが、サーバ装置１２の図面データベースＤＢにアクセス可能な端末装置、例えば、コンピュータを操作することによって、確認ポイントＰｔｊを設定することができる。例えば、建築現場から離れた事務所にいる管理者が事務所のコンピュータを操作して、ネットワークＮｔを介してサーバ装置１２にアクセスし、確認ポイントＰｔｊを設定することができる。これにより、建築現場における確認効率を向上させることができる。また、確認対象物についての確認漏れが発生するのを防止することができる。
【００９３】
このようにして、タブレット装置１１において確認ポイントＰｔｊが設定され、サーバ装置１２において、図面データに対応させて確認ポイント情報が図面データベースＤＢに記録されると、操作者は、建築現場において、各確認ポイントＰｔｊの確認対象物について確認を開始する。
【００９４】
まず、操作者が、タブレット装置１１とサーバ装置１２とを接続し、サーバ装置１２から建築現場の図面データ、及び該図面データに対応する確認ポイント情報をダウンロードすると、サーバ装置１２のＣＰＵ２１は、図面データベースＤＢから図面データ及び確認ポイント情報を読み出し、タブレット装置１１に送信する。
【００９５】
タブレット装置１１のＣＰＵ３１は、サーバ装置１２から送信された図面データ及び確認ポイント情報を受信して取得し、図面データ記憶部４８に記録する。
【００９６】
次に、ＣＰＵ３１の図面表示処理部Ｐｒ１１は、表示部３６に図面表示画面ｄｓ１を形成し、取得した図面データの図面ｇｒ１を表示する。また、指標表示処理部Ｐｒ１２は、確認ポイント情報における確認ポイントＰｔｊ及び属性情報に基づいて、図面ｇｒ１に重ねて各確認ポイントＰｔｊをマークで表示し、実施状況表示処理部Ｐｒ１３は、図面ｇｒ１に隣接させて一覧部Ｌｓ１を表示する。
【００９７】
そして、操作者は、マークの中に表示された数字の順に、マークに指でタッチすることによって、各確認ポイントＰｔｊを順次選択し、選択した確認ポイントの確認対象物について、指示事項に従って確認を行う。
【００９８】
この場合、操作者が確認ポイントを表すマークに指でタッチすると、ＣＰＵ３１は、表示部３６に図示されない確認作業用の入力画面を形成し、記憶装置４６から表形式の帳票データを読み出し、入力画面に図６に示されるような帳票６１を表示する。
【００９９】
該帳票６１には、領域Ａｒ２１に、確認ポイントＰｔｊを表す番号が表示され、領域Ａｒ２２に、各確認ポイントＰｔｊの図面上の位置が表示され、領域Ａｒ２３に、確認対象物についての確認の指示事項が表示され、領域Ａｒ２４に、確認対象物について操作者がコメントを入力するための入力スペースが形成され、領域Ａｒ２５に、操作者が確認対象物の写真データを入力するための入力スペースが形成される。なお、各確認ポイントＰｔｊの図面上の位置は、各図面データに付加されている確認ポイントＰｔｊごとのＸ方向及びＹ方向の座標で表される。
【０１００】
そして、操作者が領域Ａｒ２４、Ａｒ２５に短時間タッチすると、表示部３６は、タップ動作を検出し、操作者に、領域Ａｒ２４、Ａｒ２５における入力スペースへの入力を促す。
【０１０１】
操作者は、確認ポイントＰｔｊが設定された位置、すなわち、確認対象物の位置において、確認の指示事項に従って、マークが指す方向に電子カメラ４５を向けて確認対象物の写真を撮影し、写真データを領域Ａｒ２５の入力スペースに入力する。また、操作者は、確認対象物について確認を行った後、操作部３７を操作して確認対象物についてのコメントを作成し、領域Ａｒ２４の入力スペースに入力する。この場合、領域Ａｒ２５に確認対象物を撮影した写真を複数枚入力することができ、領域Ａｒ２４に複数のコメントを入力することができる。
【０１０２】
なお、確認対象物の写真及び確認対象物についてのコメントのほかに、属性情報の項目が設定されている場合、帳票６１に、属性情報の項目について入力を行うための入力スペースが形成され、操作者は、属性情報の項目について入力スペースにコメント等を入力する。
【０１０３】
本実施の形態においては、帳票６１が確認ポイントＰｔｊごとに表示されるようになっているが、すべての確認ポイントＰｔｊに対して一つの帳票を表示することができる。
【０１０４】
このようにして帳票６１に写真データ及びコメントが入力されると、前記確認済データ記録処理部Ｐｒ１４は、写真データ及びコメントを図面ｇｒ１上の位置に対応させて確認済データとして図面データ記憶部５０に記録するとともに、サーバ装置１２に送信する。そして、サーバ装置１２において、ＣＰＵ２１は確認済データを図面データに対応させて図面データベースＤＢに記録する。したがって、操作者は、各確認対象物についての最新の確認の実施状況を知ることができる。
【０１０５】
なお、写真データに、確認のための指示事項に入力された情報に基づく情報、例えば、工事名、測定位置、日付等を重畳して図面データ記憶部５０に記録し、図面データベースＤＢに記録することができる。
【０１０６】
また、確認済データは、図面データベースＤＢにアクセス可能な端末装置間で共有されるので、複数の操作者が、同じ建築現場で確認ポイントＰｔｊにおける確認対象物について確認を行う場合、常に最新の確認済データをサーバ装置１２から取得することができる。したがって、各操作者が一つの確認対象物について重複して確認を行うことがない。
【０１０７】
そして、各確認ポイントＰｔｊにおいて、操作者が順番に確認対象物について確認を行い、各確認ポイントＰｔｊの属性情報が変化させられると、図７に示されるように、図面表示画面ｄｓ１における各確認ポイントＰｔｊ及び一覧部Ｌｓ１の表示内容が変更される。
【０１０８】
すなわち、確認ポイントＰｔｊにおける指示事項に従って確認対象物の写真が撮影され、確認対象物についてのコメントが入力されて、所定の確認対象物についての確認が終了すると、確認ポイントを表すマークの色が変更され、一覧部Ｌｓ１における写真及びコメントの欄に「完了」の文字が表示される。また、確認対象物の写真が撮影されているが、コメントが入力されていない場合のように、確認対象物の確認の一部が終了していない場合には、確認ポイントを表すマークの形状が変更される。
【０１０９】
例えば、確認ポイントＰｔ１の指示事項の「障子の汚れ確認」については、確認対象物の写真が撮影され、確認対象物についてのコメントが入力され、確認対象物についての確認が終了しているので、確認ポイントＰｔ１を表すマークが、付与された数字を判別することができる程度に所定の色で塗り潰され、一覧部Ｌｓ１の写真及びコメントの欄に「完了」の文字が表示される。
【０１１０】
また、確認ポイントＰｔ２の指示事項の「窓枠歪み確認」については、確認対象物についての確認が終了しているので、確認ポイントＰｔ２を表すマークが、付与された数字を判別することができる程度に所定の色で塗り潰され、写真及びコメントの欄に「完了」の文字が表示される。
【０１１１】
そして、確認ポイントＰｔ３の指示事項の「棚板汚れ確認」については、確認対象物の写真が撮影されておらず、確認対象物についてのコメントが入力されておらず、確認対象物についての確認が終了していないので、確認ポイントＰｔ３を表すマークは変更されず、写真及びコメントの欄は「未」の文字のままである。
【０１１２】
また、確認ポイントＰｔ４の指示事項の「窓ガラス傷確認」については、確認対象物の写真が撮影されておらず、確認対象物についてのコメントが入力されていて、確認対象物の確認の一部が終了していないので、確認ポイントＰｔ４を表すマークの形状が変更され、矢印の前端に、確認ポイントの属性（確認の実施状況）が変化させられたことを表す付加マーク、本実施の形態においては、星印が付与され、写真の欄に「未」の文字が、コメントの欄に「完了」の文字が表示される。なお、付加マークの付与に代えて、確認ポイントＰｔ４を表すマークを、確認対象物についての確認が終了したマークを塗り潰す色と異なる色で塗り潰すこともできる。
【０１１３】
そして、確認ポイントＰｔ５の指示事項の「水道流れ確認」については、確認対象物の写真を撮影する必要がなく、確認対象物についてのコメントが入力されておらず、確認対象物についての確認が終了していないので、確認ポイントＰｔ５を表すマークの形状は変更されず、写真の欄に「不要」が、コメントの欄に「未」の文字が表示されたままになる。
【０１１４】
また、前記確認ポイントＰｔ３における確認対象物の確認が終了しないまま、確認ポイントＰｔ４における確認対象物についての確認が開始されているので、一覧部Ｌｓ１における確認ポイントＰｔ３を表す「Ｎｏ．３」の部分が、文字を判別することができる程度に所定の色で塗り潰される。
【０１１５】
このようにしてすべての確認ポイントＰｔｊにおける確認対象物についての確認が終了すると、ＣＰＵ３１は、確認が終了したことを表すメッセージ、マーク等を図面表示画面ｄｓ１に表示する。
【０１１６】
また、確認済データ記録処理部Ｐｒ１４は、確認ポイントＰｔｊに対応させて、各確認対象物の写真データ、各確認対象物についてのコメント等を、確認済データとして、図面ｇｒ１上の位置に対応させて確認済データ記憶部５０に記録する。
【０１１７】
続いて、ＣＰＵ３１は、確認済データ記憶部５０に記録された確認済データをサーバ装置１２に送信し、サーバ装置１２のＣＰＵ２１は、確認ポイントごとに、確認済データを、図面データにおける図面上の位置に対応させて図面データベースＤＢに記録する。
【０１１８】
本実施の形態においては、すべての確認ポイントＰｔｊにおける確認対象物についての確認が終了すると、確認済データが確認済データ記憶部５０に記録され、サーバ装置１２に送信されるようになっているが、各確認ポイントＰｔｊにおける確認対象物についての確認が行われるたびに、確認済データを確認済データ記憶部５０に記録し、サーバ装置１２に送信するようにすることができる。また、操作者の指示に基づいて、任意のタイミングで確認済データを確認済データ記憶部５０に記録し、サーバ装置１２に送信することができる。
【０１１９】
このように、本実施の形態においては、所定の確認ポイントにおいて確認対象物についての確認が行われない場合、確認ポイントを表すマークが塗り潰されず、一覧部Ｌｓ１における指示事項の欄に「未」の文字が表示されるので、操作者は、すべての確認ポイントＰｔｊにおける確認対象物についての確認が終了しているかどうかを容易に把握することができる。したがって、各確認ポイントＰｔｊにおける確認対象物についての確認漏れが発生するのを防止することができる。
【０１２０】
また、所定の確認ポイントにおいて、確認対象物についての確認の一部が終了していない場合、確認ポイントを表すマークの形状が変更され、例えば、付加マークが付与され、所定の確認ポイントにおいて確認対象物についての確認が終了しないまま、次の確認ポイントにおいて確認対象物についての確認が開始された場合、一覧部Ｌｓ１において、確認対象物についての確認が終了していない確認ポイントを表す部分が所定の色で塗り潰されるので、各確認ポイントＰｔｊにおける確認対象物についての確認漏れが発生するのを一層防止することができる。
【０１２１】
また、複数の操作者が同じ確認対象物について確認を行う必要がある場合でも、各操作者が一つの確認対象物を重複して確認してしまうことがないので、確認効率を一層向上させることができる。
【０１２２】
なお、本実施の形態においては、マークの中に表示される数字が、確認対象物についての確認の順序を考慮して付与され、マークの中に表示された数字の順に確認対象物の確認が行われるようになっているが、マークの中に表示された数字の順にかかわらず、確認対象物の確認を行うことができる。
【０１２３】
また、操作者は、必要に応じて、マークの中に表示される数字を変更し、確認作業の順番を変更することができる。さらに、操作者が確認ポイントを選択した順にマークの中に数字を自動的に表示するようにすることができる。なお、マークに付与された数字の順に確認対象物についての確認が行われない場合、ＣＰＵ３１は、マークに付与された数字の順に確認対象物についての確認が行われていないことを操作者に通知するために、図面表示画面ｄｓ１に所定のメッセージを表示する。
【０１２４】
そして、本実施の形態においては、マークの形状によって指示事項を識別するようになっているが、マークの形状のほかに、マークの色によって指示事項を識別するようにすることができる。
【０１２５】
さらに、本実施の形態においては、各確認ポイントＰｔｊにおいて確認対象物についての確認が行われると、確認ポイントＰｔｊを表すマークが塗り潰されるようになっているが、マークの形状、色等を変更するようにすることができる。
【０１２６】
また、本実施の形態においては、各確認ポイントＰｔｊにおいて確認対象物についての確認が行われると、一覧部Ｌｓ１の指示事項の写真及びコメントの欄に「完了」の文字が表示されるようになっているが、指示事項の写真及びコメントの欄に、確認対象物についての確認が終了したことを表すマーク、確認対象物の写真のサムネイル、入力したコメントの文章等を表示することができる。なお、欄が小さい場合は、操作者が容易に認識することができるように短い語を表示したり、欄が大きい場合は、確認対象物の写真のサムネイルを大きくしたり、実際に入力されたコメントを表示したりすることができる。
【０１２７】
さらに、コメントの欄にコメントを入力するに当たり、あらかじめ登録されているコメントをリストで表示し、リストからコメントを選択することができる。
【０１２８】
ところで、建築現場において、確認対象物についての確認を行っているときに、例えば、所定の確認対象物において予期しない不具合が発見された場合等、想定していた確認対象物以外の確認対象物について確認を行う必要が生じることがある。
【０１２９】
そこで、本実施の形態においては、確認作業を行っているときに、確認ポイントを追加することができるようになっている。
【０１３０】
図８は本発明の実施の形態における表示部に形成される図面表示画面の例を示す第４の図である。
【０１３１】
図において、１１はタブレット装置、ｄｓ１は該タブレット装置１１の表示部３６（図１）に形成される図面表示画面、ｇｒ１は該図面表示画面ｄｓ１に表示される図面、Ｐｔｊ（ｊ＝１、２、…）は複数の、本実施の形態においては、６個の確認ポイント、Ｌｓ２は一覧部である。
【０１３２】
この場合、確認ポイントＰｔｊ及び一覧部Ｌｓ２には、あらかじめ５個の確認ポイントＰｔ１〜Ｐｔ５が設定されていて、各確認ポイントＰｔ１〜Ｐｔ５における確認対象物について確認が開始される。
【０１３３】
そして、操作者が図面ｇｒ１上のあらかじめ設定された確認ポイントにタッチすると、前述されたように、表示部３６に入力画面が形成され、該入力画面に帳票６１が表示される。続いて、操作者が、帳票６１に表示された確認ポイントの指示事項に基づいて確認対象物について確認を行い、確認対象物の写真を撮影し、確認対象物についてのコメントを入力すると、ＣＰＵ３１は確認ポイントについての属性情報を更新する。すなわち、確認済データ記録処理部Ｐｒ１４は、指示事項に基づく確認の内容の実施状況、確認ポイントにおける確認対象物についての確認の順番、確認ポイントが、確認対象物についての確認が開始される前にあらかじめ設定されていたか、又は確認が開始された後に追加して設定されたか等の属性情報を更新し、確認済データとして確認済データ記憶部５０に記録する。
【０１３４】
そして、例えば、確認ポイントＰｔ１、Ｐｔ２の確認対象物について確認が終了したタイミングで、所定の確認対象物、本実施の形態においては、玄関について確認を行う必要が生じると、操作者は、図面表示画面ｄｓ１に表示された図面ｇｒ１上で玄関の位置に指でタッチし、それに伴って、ＣＰＵ３１は、図面データにおいて玄関を確認対象物として設定し、玄関の位置に確認ポイントＰｔ６を設定する。
【０１３５】
続いて、操作者が、操作部３７を操作して、確認ポイントＰｔ６の確認対象物についての指示事項を入力すると、ＣＰＵ３１は、表示部３６に入力画面を形成し、該入力画面に帳票６１を表示する。そして、操作者が、帳票６１に表示された確認ポイントＰｔ６の指示事項に基づいて確認対象物について確認を行い、確認対象物の写真を撮影し、確認対象物についてのコメントを入力し、確認ポイントＰｔ６の属性情報、すなわち、確認対象物についての確認が開始された後に確認ポイントＰｔ６が追加して設定されたことを入力すると、指標表示処理部Ｐｒ１２は、前記属性情報に基づいて、図面ｇｒ１に重ねて、玄関の位置に確認ポイントＰｔ６を表すマークを表示する。確認ポイントＰｔ６を表すマークは、確認ポイントＰｔ６の属性（設定タイミング）が確認ポイントＰｔ１〜Ｐｔ５の属性と異なるので、確認ポイントＰｔ１〜Ｐｔ５と異なる形状、本実施の形態においては、円形の形状にされる。この場合、確認ポイントＰｔ６を表すマークは、確認ポイントＰｔ６において確認対象物についての確認が開始されるまでは白抜きの円形にされ、確認ポイントＰｔ６において確認が終了すると、図に示されるように、付与された数字を判別することができる程度に所定の色で塗り潰される。
【０１３６】
また、実施状況表示処理部Ｐｒ１３は、一覧部Ｌｓ２の表示内容を変更し、確認ポイントＰｔ６を表す欄「Ｎｏ．６」を追加し、確認ポイントＰｔ６における指示事項として「玄関  ひび確認」を表示し、写真及びコメントの欄を形成する。この場合、確認ポイントＰｔ６における確認対象物についての確認は終了しているので、写真及びコメントの欄には「完了」の文字が表示される。
【０１３７】
さらに、前記確認ポイントＰｔ３〜Ｐｔ５において確認対象物についての確認が行われないまま、確認ポイントＰｔ６において確認対象物についての確認が開始されているので、確認ポイントＰｔ３〜Ｐｔ５を表すマークの形状が変更され、矢印の前端に、確認ポイントの属性（確認ポイントの設定）が異なることを表す付加マーク、本実施の形態においては、三角形が付与され、一覧部Ｌｓ２における確認ポイントＰｔ３〜Ｐｔ５を表す「Ｎｏ．３」〜「Ｎｏ．５」の部分が、文字を判別することができる程度に所定の色で塗り潰される。
【０１３８】
追加された確認ポイントＰｔ６において確認対象物についての確認が行われると、確認済データ記録処理部Ｐｒ１４は、各確認対象物の写真データ、各確認対象物についてのコメント等を、確認済データとして、図面ｇｒ１上の位置に対応させて確認済データ記憶部５０に記録するとともに、サーバ装置１２に送信する。そして、サーバ装置１２において、ＣＰＵ２１は、確認済データを、図面データにおける図面上の位置に対応させて図面データベースＤＢに記録する。
【０１３９】
次に、建築現場において、確認ポイントＰｔｊを設定する際の情報処理システム１０の動作について説明する。
【０１４０】
図９は本発明の実施の形態における確認ポイントを設定する際の情報処理システムの動作を示すフローチャートである。
【０１４１】
まず、タブレット装置１１（図１）において、操作者が、タブレット装置１１をサーバ装置１２に接続し、サーバ装置１２から建築現場の図面データをダウンロードすることによって取得すると、ＣＰＵ３１は図面データを図面データ記憶部４８に記録する。
【０１４２】
ＣＰＵ３１の図面表示処理部Ｐｒ１１は、表示部３６に図面表示画面ｄｓ１を作成し、取得した図面データの図面ｇｒ１を表示する。
【０１４３】
次に、操作者が、図面ｇｒ１上の、確認を行おうとする確認対象物の位置において、図面表示画面ｄｓ１にタッチすると、ＣＰＵ３１は、操作者がタッチした位置のＸ方向及びＹ方向の座標を読み込み、図面上で、確認対象物の位置を特定し、確認対象物の位置を確認ポイントＰｔｊとして設定する。
【０１４４】
そして、操作者が操作部３７を操作すると、表示部３６に確認対象物についての確認の内容を指示事項として入力するためのウインドウ（入力画面）が形成され、操作者は該ウインドウにおいて確認の内容を表す指示事項を入力する。ＣＰＵ３１は、入力された指示事項を確認ポイントＰｔｊに対応させて図面データ記憶部４８に記録する。
【０１４５】
続いて、操作者が操作部３７を操作すると、表示部３６に各確認ポイントＰｔｊの属性情報を入力するためのウインドウが形成され、操作者は該ウインドウにおいて項目ごとに属性情報を入力する。ＣＰＵ３１は、入力された属性情報を確認ポイントＰｔｊに対応させて図面データ記憶部４８に記録する。
【０１４６】
このようにして、各確認ポイントＰｔｊについて、指示事項及び属性情報が図面データ記憶部４８に記録されると、前記図面表示処理部Ｐｒ１１は、確認ポイントＰｔｊごとの属性情報を図面データ記憶部４８から読み出し、属性情報に基づいて、図面表示画面ｄｓ１に表示された図面ｇｒ１に重ねて、各確認対象物の位置に、確認ポイントＰｔｊを表すマークを表示する。
【０１４７】
そして、ＣＰＵ３１は、確認ポイントＰｔｊに対応させた前記指示事項及び属性情報を、確認ポイントＰｔｊの情報、すなわち、確認ポイント情報として、サーバ装置１２に送信し、サーバ装置１２において、ＣＰＵ２１は、図面データに対応させて確認ポイント情報を図面データベースＤＢに記録する。
【０１４８】
次に、フローチャートについて説明する。
ステップＳ１  操作者はサーバ装置１２から図面データを取得する。
ステップＳ２  図面表示処理部Ｐｒ１１は図面ｇｒ１を表示する。
ステップＳ３  ＣＰＵ３１は図面ｇｒ１上で確認対象物の位置を特定し、確認ポイントＰｔｊとして設定する。
ステップＳ４  操作者は指示事項を入力する。
ステップＳ５  操作者は確認ポイントＰｔｊの属性情報を入力する。
ステップＳ６  図面表示処理部Ｐｒ１１は属性情報に基づいて図面ｇｒ１に重ねてマークを表示する。
ステップＳ７  ＣＰＵ３１は確認ポイント情報をサーバ装置１２に送信し、処理を終了する。
【０１４９】
次に、建築現場において、確認対象物について確認を行う際の情報処理システム１０の動作について説明する。
【０１５０】
図１０は本発明の実施の形態における確認対象物について確認を行う際の情報処理システムの動作を示すフローチャートである。
【０１５１】
まず、タブレット装置１１（図１）において、操作者が、タブレット装置１１をサーバ装置１２に接続し、サーバ装置１２から図面データ、及び該図面データに対応する確認ポイント情報をダウンロードすることによって取得すると、ＣＰＵ３１は図面データ及び確認ポイント情報を図面データ記憶部４８に記録する。
【０１５２】
次に、ＣＰＵ３１の図面表示処理部Ｐｒ１１は、表示部３６に図面表示画面ｄｓ１を形成し、取得した図面データの図面ｇｒ１を表示し、指標表示処理部Ｐｒ１２は、確認ポイント情報における属性情報に基づいて、図面ｇｒ１上に各確認ポイントＰｔｊをマークで表示し、実施状況表示処理部Ｐｒ１３は、図面ｇｒ１に隣接させて一覧部Ｌｓ１を表示する。
【０１５３】
そして、操作者が、図面ｇｒ１上の、確認を行おうとする確認対象物の位置において、確認ポイント又は図面表示画面ｄｓ１にタッチすると、ＣＰＵ３１は、操作者がタッチした位置のＸ方向及びＹ方向の座標を読み込み、図面データ上で、確認対象物の位置を特定し、確認対象物の位置が確認ポイントＰｔｊとしてあらかじめ設定されているかどうかを判断する。
【０１５４】
確認対象物の位置が確認ポイントＰｔｊとしてあらかじめ設定されている場合、操作者は各確認ポイントＰｔｊにおける確認対象物についての確認を開始する。
【０１５５】
すなわち、操作者は、各確認ポイントＰｔｊにおいて、確認ポイント情報の指示事項に基づいて確認対象物についての確認を行い、確認対象物の写真を撮影し、確認対象物についてのコメントを入力する。なお、確認対象物の写真及び確認対象物についてのコメントのほかに、属性情報の項目が設定されている場合、操作者は、属性情報を入力する。
【０１５６】
そして、ＣＰＵ３１の確認済データ記録処理部Ｐｒ１４は、撮影された確認対象物の写真及び入力されたコメントを確認済データとして、図面ｇｒ１上の位置と対応させて確認済データ記憶部５０に記録する。なお、ＣＰＵ３１は、確認済データをサーバ装置１２に送信し、サーバ装置１２において図面データベースＤＢに記録することができる。また、ＣＰＵ３１は、すべての確認対象物についての確認が終了したときに、確認済データをサーバ装置１２に送信し、サーバ装置１２において図面データベースＤＢに記録することができる。
【０１５７】
確認ポイントＰｔｊにおける確認対象物についての確認が終了すると、ＣＰＵ３１は、確認ポイントについての属性情報を更新する。すなわち、ＣＰＵ３１は、指示事項に基づく確認の内容の実施状況、確認ポイントにおける確認対象物についての確認の順番、確認ポイントが、確認対象物についての確認が開始される前にあらかじめ設定されているか、又は確認が開始された後に追加して設定されたか等の属性情報を更新し、確認済データとして確認済データ記憶部５０に記録する。
【０１５８】
一方、確認対象物の位置が確認ポイントＰｔｊとして設定されていない場合、ＣＰＵ３１は、操作者がタッチした位置のＸ方向及びＹ方向の座標を読み込み、図面上で、確認対象物の位置を特定し、確認対象物の位置を新規の確認ポイントとして設定する。
【０１５９】
そして、操作者が操作部３７を操作すると、表示部３６に確認対象物についての確認の内容を指示事項として入力するためのウインドウ（入力画面）が形成され、操作者は該ウインドウにおいて確認の内容を表す指示事項を入力する。
【０１６０】
ＣＰＵ３１は、入力された指示事項を新規の確認ポイントに対応させて図面データ記憶部４８に記録する。
【０１６１】
また、ＣＰＵ３１は、新規の確認ポイントに対応させた前記指示事項及び属性情報を、確認ポイント情報としてサーバ装置１２に送信し、サーバ装置１２において、ＣＰＵ２１は、確認ポイント情報を図面データに対応させて図面データベースＤＢに記録する。なお、ＣＰＵ３１は、すべての確認対象物についての確認が終了したときに、確認ポイント情報をサーバ装置１２に送信し、サーバ装置１２において図面データベースＤＢに記録することができる。
【０１６２】
続いて、操作者は、新規の確認ポイントにおける確認対象物についての確認を行い、確認対象物の写真を撮影し、確認対象物についてのコメントを入力する。
【０１６３】
確認済データ記録処理部Ｐｒ１４は、新規の確認ポイントにおける確認対象物の写真データ、確認対象物についてのコメント等を、確認済データとして、図面ｇｒ１上の位置に対応させて確認済データ記憶部５０に記録するとともに、サーバ装置１２に送信する。
【０１６４】
そして、サーバ装置１２のＣＰＵ２１は、図面データに対応させて新規の確認ポイントの確認済データを図面データベースＤＢに記録する。なお、ＣＰＵ３１は、すべての確認対象物についての確認が終了したときに、新規の確認ポイントの確認済データをサーバ装置１２に送信し、サーバ装置１２において図面データベースＤＢに記録することができる。
【０１６５】
続いて、操作者が操作部３７を操作すると、表示部３６に新規の確認ポイントの属性情報を入力するためのウインドウが形成され、操作者は該ウインドウにおいて項目ごとに属性情報を入力する。
【０１６６】
次に、前記図面表示処理部Ｐｒ１１は、新規の確認ポイントの属性情報を図面データ記憶部４８から読み出し、属性情報に基づいて、図面表示画面ｄｓ１に表示された図面ｇｒ１に重ねて、各確認対象物の位置に新規の確認ポイントのマークを表示する。
【０１６７】
そして、ＣＰＵ３１は、新規の確認ポイントに対応させた前記指示事項及び属性情報を、新規の確認ポイント情報として、サーバ装置１２に送信し、サーバ装置１２において、ＣＰＵ２１は、図面データに対応させて新規の確認ポイント情報を図面データベースＤＢに記録する。
【０１６８】
次に、フローチャートについて説明する。
ステップＳ１１  操作者はサーバ装置１２から図面データ及び確認ポイント情報を取得する。
ステップＳ１２  指標表示処理部Ｐｒ１２は確認ポイントを表示し、実施状況表示処理部Ｐｒ１３は一覧部Ｌｓ１を表示する。
ステップＳ１３  操作者は確認ポイント又は図面表示画面ｄｓ１にタッチする。
ステップＳ１４  ＣＰＵ３１は確認ポイントＰｔｊとしてあらかじめ設定されているかどうかを判断する。確認ポイントＰｔｊとしてあらかじめ設定されている場合はステップＳ１５に進み、確認ポイントＰｔｊとして設定されていない場合はステップＳ１７に進む。
ステップＳ１５  操作者は確認ポイントＰｔｊの指示事項に基づいてコメントを入力する。
ステップＳ１６  ＣＰＵ３１は確認ポイントＰｔｊの属性情報を更新し、ステップＳ２０に進む。
ステップＳ１７  操作者は指示事項を入力する。
ステップＳ１８  操作者は確認対象物の写真を撮影し、コメントを入力する。
ステップＳ１９  操作者は新規の確認ポイントの属性情報を入力する。
ステップＳ２０  図面表示処理部Ｐｒ１１は属性情報に基づいて図面ｇｒ１にマークを表示する。
ステップＳ２１  ＣＰＵ２１は図面データに対応させて確認ポイント情報を記録し、処理を終了する。
【０１６９】
このように、本実施の形態においては、図面ｇｒ１上の所定の位置に設定された確認ポイントＰｔｊを表すマークが、図面ｇｒ１に重ねて表示され、操作者が、図面ｇｒ１上で確認ポイントを選択し、指示事項に従って確認対象物について確認を行うと、前記確認ポイントの属性が変化させられるのに伴ってマークにおける表示内容が変更されるので、すべての確認ポイントについて確認対象物の確認が終了しているかどうかを容易に確認することができる。したがって、各確認ポイントＰｔｊにおける確認対象物についての確認漏れが発生するのを防止することができ、確認効率を向上させることができる。
【０１７０】
そして、複数の操作者が同じ確認対象物について確認を行う必要がある場合でも、同じ確認対象物について重複して確認してしまうことがないので、確認効率を一層向上させることができる。
【０１７１】
本実施の形態においては、情報処理装置としてのタブレット装置１１について説明しているが、本発明をカメラ付き携帯電話、ＰＤＡ（ＰＥＲＳＯＮＡＬ  ＤＩＧＩＴＡＬ  ＡＳＳＩＳＴＡＮＴ）等に適用することができる。
【０１７２】
なお、本発明は前記実施の形態に限定されるものではなく、本発明の趣旨に基づいて種々変形させることが可能であり、それらを本発明の範囲から排除するものではない。
【符号の説明】
【０１７３】
１１    タブレット装置
３６    表示部
５０    確認済データ記憶部
ｄｓ１    図面表示画面
ｇｒ１    図面
Ｐｒ１１    図面表示処理部
Ｐｒ１２    指標表示処理部
Ｐｒ１４    確認済データ記録処理部
Ｐｔｊ    確認ポイント
【図１】
2018124912.tif 000003
【図２】
2018124912.tif 000004
【図３】
2018124912.tif 000005
【図４】
2018124912.tif 000006
【図５】
2018124912.tif 000007
【図６】
2018124912.tif 000008
【図７】
2018124912.tif 000009
【図８】
2018124912.tif 000010
【図９】
2018124912.tif 000011
【図１０】
2018124912.tif 000012